(57)【特許請求の範囲】
【請求項１】
四角形の平面形を有する下ハーフと該下ハーフと相似の平面形を有して該下ハーフの上部に重ね合わせられる上ハーフとからなる偏平なカートリッジケース内に、磁気テープを巻装した単一のリールが回転可能に収容され、該リールを同心的に取り囲む円弧状のリブの端部が前記上ハーフまたは前記下ハーフの側壁に交わって、該交点近傍の側壁に厚肉部が形成されてなる磁気テープカートリッジにおいて、
前記リブを有する上ハーフまたは前記下ハーフのいずれか一方の外面の一隅部に、外部装置への誤挿入を防止するための切欠きが、前記上ハーフの上面からまたは前記下ハーフの底面から側壁の高さ方向の中途位置まで、前記一隅部をほぼ三角形の平面形状に切除した態様で前記交点近傍を含んで形成され、かつ該交点近傍における前記側壁の裏側であって該側壁の高さ方向における前記切欠きが形成されていない範囲に、該側壁の肉厚をほぼ一定にする減肉部が形成されていることを特徴とする磁気テープカートリッジ。
【発明の詳細な説明】
【０００１】
【発明の属する技術分野】
本発明は、上ハーフと下ハーフとが重ね合わされて形成された偏平なカートリッジケース内に、磁気テープを巻装した単一のリールが回転可能に収容された磁気テープカートリッジに関し、特に、カートリッジケースの外面の一隅部に、外部装置への誤挿入を防止するための切欠きを備えた磁気テープカートリッジに関するものである。
【０００２】
【従来の技術】
従来、主としてコンピュータメモリのバックアップとして機能する記録媒体として使用されている磁気テープカートリッジには、磁気テープを巻装した単一のリールが、図１に示すようなプラスチック製の上ハーフ２と下ハーフ３とからなるほぼ正方形の平面形を有する偏平なカートリッジケース１内に回転可能に収容されているものがある。
【０００３】
このような構成を有する磁気テープカートリッジが、外部記録再生装置に対し図１の左下方向へ挿入されると、下ハーフ３の中央部に形成された円形開口部から露呈しているリールの係合歯に装置側の回転駆動部が係合するとともに、装置側のテープ引出し機構により、磁気テープがカートリッジケース１内から引き出されてテープ走行路の所定位置に引き込まれ、磁気テープへのデータの書込み／読出しが可能になる。
【０００４】
上記カートリッジケース１の上下ハーフ２，３の内部には、上記リールを同心的に取り囲む円弧状のリブ６（図２）が形成されている。
【０００５】
【発明が解決しようとする課題】
ところで、上ハーフ２または下ハーフ３の側壁には、上記円弧状のリブ６の端部が接線方向に交わって、この交点近傍の側壁に厚肉部が形成されている部分がある。
【０００６】
一方、この種の磁気テープカートリッジには、外部記録再生装置への誤挿入を防止するために、例えば上ハーフ２の外面の一隅部に切欠き４を設けることが要求される場合がある。その場合、この切欠き４は、上ハーフ２の磁気テープカートリッジの挿入方向に関してリーディング側の一隅部に、上ハーフ２の上面から側壁の高さ方向のほぼ中間位置まで上記一隅部をほぼ三角形の平面形状に切除した態様で形成される。
【０００７】
ところが、上記切欠き４が上ハーフ２の側壁の上記円弧状のリブの端部との交点近傍を含んで形成される場合、その側壁の交点近傍の部位（図１に符号Ｐで示す部位）において、側壁の高さ方向の上半分が上記切欠き４の存在によって凹部となっているため、側壁の高さ方向の下半分のみが他の部分よりも厚肉となる。
【０００８】
そのため、成形時において上記厚肉部の冷却速度が周囲部分よりも遅くなり、冷却過程における収縮率の差等から、側壁の上記符号Ｐで示す部位が変形して「ひけ」あるいは「倒れ」を生じたりして、下ハーフとの突合わせ部に段差を生じたりする不都合があった。
【０００９】
上述の事情に鑑み、本発明は、上述のような不都合を効果的に回避した磁気テープカートリッジを提供することを目的とする。
【００１０】
【課題を解決するための手段】
本発明は、四角形の平面形を有する下ハーフとこの下ハーフと相似の平面形を有して下ハーフの上部に重ね合わせられる上ハーフとからなる偏平なカートリッジケース内に、磁気テープを巻装した単一のリールが回転可能に収容され、このリールを同心的に取り囲む円弧状のリブの端部が上記上ハーフまたは上記下ハーフの側壁に交わって、該交点近傍の側壁に厚肉部が形成されてなる磁気テープカートリッジにおいて、
上記上ハーフまたは上記下ハーフのいずれか一方の外面の一隅部に、外部装置への誤挿入を防止するための切欠きが、上記上ハーフの上面からまたは上記下ハーフの底面から側壁の高さ方向の中途位置まで、上記一隅部をほぼ三角形の平面形状に切除した態様で上記交点近傍を含んで形成され、かつこの交点近傍における側壁の裏側に、この側壁の肉厚をほぼ一定にする減肉部が形成されていることを特徴とするものである。
【００１１】
【発明の効果】
本発明によれば、外部装置への誤挿入を防止するための切欠きと、リブとが交わる部位の側壁の裏側に、この部位の側壁の肉厚をほぼ一定にする減肉部が形成されていることにより、成形時において上記交点近傍における冷却速度の差がほとんどなくなる。したがって、この部位に「ひけ」あるいは「倒れ」を生じたりして、相手方のハーフとの突合わせ部に段差を生じたりする不都合が生じるおそれがなくなる。
【００１２】
【発明の実施の形態】
以下、本発明の実施の形態を図面に基づいて詳細に説明する。
【００１３】
先ず、本発明の実施の形態の説明に先立って、本発明の前提となる構成について、図２および図３（ａ），（ｂ）を参照して説明する。
【００１４】
図２は、外部装置への誤挿入を防止するための切欠き４を備えた上ハーフ２の隅部の裏面図を示し、図３（ａ），（ｂ）はそれぞれ、図２のＡ−Ａ線、Ｂ−Ｂ線に沿った断面図である。
【００１５】
磁気テープのリール（図示は省略）を取り囲んで上ハーフ２の隅部に立設された円弧状のリブ６の端部は、側壁５に対して接線方向に交わっており、さらに、図１に示されているような、外部装置への誤挿入を防止するための切欠き４が、上ハーフ２の上面から側壁５の高さ方向の中途位置まで（図３（ｂ）においては側壁５の高さ方向の下半分が）、上ハーフ２の一隅部をほぼ三角形の平面形状に切除した態様で、リブ６と側壁５との交点近傍を含んで形成されている。
【００１６】
したがって、図３（ｂ）に示すように、側壁５の切欠き４の上方部７は厚肉部となっており、この厚肉部の存在によって、上述した不都合が生じるのである。
【００１７】
これに対し、本発明の実施の形態では、図２に対応する図４、および図３（ｂ）に対応する図４のＢ−Ｂ線に沿った断面図である図５に示すように、側壁５の切欠き４の上方部７の裏側に減肉部９を形成して、この部位の側壁５の肉厚がほぼ一定になるようにしたものである。
【００１８】
なお、防塵性を保つために、図３（ｂ）および図５に示すように、この上ハーフ２の側壁５の下ハーフ３の側壁８に対する突当て端縁５ａは、下ハーフ３の側壁８の突当て端縁８ａとの間で印篭継ぎを形成している。下ハーフ３のリブ（図示は省略）に対する上ハーフ２のリブ６の突当て端縁６ａも同様である。
【００１９】
本実施の形態においては、切欠き４に対して側壁５の高さ方向に隣接する部位７の裏側に減肉部９を形成したことにより、成形時において上記交点近傍における冷却速度の差をほとんどなくすことができる。したがって、この部位に「ひけ」あるいは「倒れ」を生じたりして、下ハーフ３との突合わせ部に段差を生じたりする不都合が生じるおそれがなくなる。
【００２０】
なお、本実施の形態は、外部装置への誤挿入を防止するための切欠き４が上ハーフ２に形成されている場合であるが、切欠き４が下ハーフ３の底面から側壁の高さ方向の中途位置まで形成される場合も同様である。
【図面の簡単な説明】
【図１】本発明が実施される磁気テープカートリッジの斜視図
【図２】本発明を実施する場合の前提となるカートリッジケースのの上ハーフの要部裏面図
【図３】図２のＡ−Ａ線およびＢ−Ｂ線に沿った断面図
【図４】本発明を実施したカートリッジケースのの上ハーフの要部裏面図
【図５】図４のＢ−Ｂ線に沿った断面図
【符号の説明】
１    磁気テープカートリッジ
２    上ハーフ
３    下ハーフ
４    切欠き
５    側壁
６    リブ
９    減肉部
【図１】
0004053135.tif 000002
【図２】
0004053135.tif 000003
【図３】
0004053135.tif 000004
【図４】
0004053135.tif 000005
【図５】
0004053135.tif 000006